(57)【特許請求の範囲】
【請求項１】
帆掛け支柱と船体とに渡るロープによって前記帆掛け支柱を前記船体に支持する帆掛け支柱の支持装置であって、帯板状をなしてその長手方向の一端側に第１のロープ挿通孔と第２のロープ挿通孔が設けられ他端側に固定具が設けられた結索体を備え、前記ロープは、前記第１のロープ挿通孔を通ってループ状に折り返した端部が前記第２のロープ挿通孔を通過した部分で抜け止めされ、前記ロープが前記結索体の一方の面に沿った緊張位置で前記ロープの途上部分が、前記固定具に設けたフック部材に掛止めされた状態で前記フック部材がナットで締結された帆掛け支柱の支持装置。
【請求項２】
帆掛け支柱と船体とに渡るロープによって前記帆掛け支柱を前記船体に支持する帆掛け支柱の支持方法であって、帯板状をなしてその長手方向の一端側に第１のロープ挿通孔と第２のロープ挿通孔が設けられ他端側に固定具が設けられた結索体を準備し、前記ロープを前記第１のロープ挿通孔に挿通したのち前記ループ状に折り返し、この折り返し端を前記第２のロープ挿通孔に挿通して抜け止めし、前記結索体をロープ緊張方向へ引っ張ると共に前記結索体が前記ロープに沿うように前記結索体の他端側を回転させて前記ロープの途上部分を前記固定具に固定する帆掛け支柱の支持方法。
【発明の詳細な説明】
【０００１】
【発明の属する技術分野】
本発明は、結索装置並びに該装置を用いたロープの結索方法に関し、特に、釣船等に装備されるスパンカの帆掛け支柱のロープの緊張状態における結索を安定して容易に行うことができるようにしてなるものである。
【０００２】
【従来の技術】
従来、例えば釣船等に装備されるスパンカの帆掛け支柱（マスト）などをロープにて堅固に牽引支持する際、緊張状態を維持したままロープの一方の端を船体上に結索する必要があり、また、ロープ結索の仕方にも幾つかの方法がある。
【０００３】
【発明が解決しようとする課題】
しかしながら、このような従来のロープ結索方法は、特殊な仕方で結索する必要であるために、素人ではロープの緊張状態における結索を安定して行うことが困難で面倒でもある。
【０００４】
本発明は、上記の事情に鑑みてなされたもので、釣船等に装備されるスパンカの帆掛け支柱のロープの緊張状態における結索を安定して容易に行うことができるようにした帆掛け支柱の支持装置並びに帆掛け支柱の支持方法を提供することを目的とする。
【０００５】
【課題を解決するための手段】
上記した課題を解決するために、本発明に係る請求項１に記載の発明は、帆掛け支柱と船体とに渡るロープによって前記帆掛け支柱を前記船体に支持する帆掛け支柱の支持装置であって、帯板状をなしてその長手方向の一端側に第１のロープ挿通孔と第２のロープ挿通孔が設けられ他端側に固定具が設けられた結索体を備え、前記ロープは、前記第１のロープ挿通孔を通ってループ状に折り返した端部が前記第２のロープ挿通孔を通過した部分で抜け止めされ、前記ロープが前記結索体の一方の面に沿った緊張位置で前記ロープの途上部分が、前記固定具に設けたフック部材に掛止めされた状態で前記フック部材がナットで締結されたことを特徴とする。
【０００６】
請求項２に記載の発明は、帆掛け支柱と船体とに渡るロープによって前記帆掛け支柱を前記船体に支持する帆掛け支柱の支持方法であって、帯板状をなしてその長手方向の一端側に第１のロープ挿通孔と第２のロープ挿通孔が設けられ他端側に固定具が設けられた結索体を準備し、前記ロープを前記第１のロープ挿通孔に挿通したのち前記ループ状に折り返し、この折り返し端を前記第２のロープ挿通孔に挿通して抜け止めし、前記結索体をロープ緊張方向へ引っ張ると共に前記結索体が前記ロープに沿うように前記結索体の他端側を回転させて前記ロープの途上部分を前記固定具に固定することを特徴とする。
【０００７】
すなわち、本発明は、上記の構成を採用することにより、結索体の長手方向の一端側に第１のロープ挿通孔と第２のロープ挿通孔とを設け、かつその他端側にロープに締結状態で掛止め固定される固定具を設けるとともに、第１のロープ挿通孔に挿通されて折り返されたロープの折返し端を第２のロープ挿通孔に挿通して結索した後に、結索体の他端側を固定具にてロープの途上に掛止め締結し固定してなるために、ロープの緊張状態における結索が安定して容易に行うことが可能になる。
【０００８】
【発明の実施の形態】
以下、本発明の実施の形態を図面を参照しながら詳細に説明する。図１は例えば船体１００の船尾側に装備されるスパンカ１０１の帆掛け状態の全体構成を示すもので、スパンカ１０１は、船体１００上に立設された支柱（マスト）１０２と、この支柱（マスト）１０２に組み付けたブーム１０３に帆掛けされている。
【０００９】
そして、支柱１０２は、複数本のロープ５０によって緊張状態で船体１００上に堅固に牽引支持されていて、各々のロープ５０の一端５０ａは、支柱１０２の頂部１０２ａに結索されている一方、その他端５０ｂ側は、図２に示すように、船体１００上にブラケット１０４を介して固定したロープ掛け具１０５に掛けられているとともに、そのループ状に折り返された折返し端５０ｂを、後述する本発明に係る結索装置１を用いて結索されている。
【００１０】
すなわち、上記した結索装置１は、図３から図５に示すように、例えば帯板状の木材、金属あるいは樹脂等にて形成された結索体２からなるもので、この結索体２の長手方向の一端２ａ側に第１のロープ挿通孔３と第２のロープ挿通孔４とが孔明けされて設けられている一方、その他端２ｂ側に固定具５が設けられている。
【００１１】
この固定具５は、結索体２の上面側に設けたロープ５０に掛け止めされるフック部材６と、このフック部材６のボルト軸６ａを結索体２の下面側から螺合した保持する蝶ナット７とからなり、この蝶ナット７による締結にてフック部材６をロープ５０に掛止め固定されるようになっている。
【００１２】
この場合、結索体２に設けた第１のロープ挿通孔３の孔明け位置Ａと第２のロープ挿通孔４の孔明け位置Ｂは、結索体２の長手方向の中心軸Ｏ−Ｏに対して左右及び前後にずらせて配置され、一方、第１のロープ挿通孔３の孔明け位置Ａと、固定具５によるロープ５０の掛止め位置Ｃとは、結索体２の長手方向に沿う中心軸Ｏ−Ｏに対して平行な同一直線Ｐ−Ｐ上に配置してなる形態を有する。
【００１３】
図６から図８は、本発明に係る結索装置１を用いたロープ５０の結索手順を示す。図６に示すように、まず、結索体２の第１のロープ挿通孔３に、一端５０ａが船体１００上に立設された支柱１０２の頂部１０２ａに結索されたロープ５０の他端５０ｂ側を結索体２の上側から挿通し、船体１００上に固定したロープ掛け具１０５に掛けてループ状に折り返す。
【００１４】
次いで、図７に示すように、ロープ５０の折返し端５０ｂを結索体２の下側から第２のロープ挿通孔４に挿通して結び玉５０ｃを形成し、ロープ５０の折返し端５０ｂが第２のロープ挿通孔４から抜けないように結索する。
【００１５】
さらに、ロープ５０の折返し端５０ｂを結索体２の第２のロープ挿通孔４に結索した後、結索体２をロープ緊張方向Ｘに引っ張り上げて、図８に示すように、所望のロープ緊張位置で結索体２の他端２ｂ側をロープ５０に沿うように回転させて固定具５のフック部材６をロープ５０の途上に掛止めする。
【００１６】
このとき、図７に示すように、結索体２をロープ緊張方向Ｘに対してほぼ直交状態を維持するように引っ張り上げることにより、結索体２の移動調整が容易に行えるとともに、図８に示すように、結索体２の他端２ｂ側をロープ５０に沿うように回転させることにより、結索体２の第１のロープ挿通孔３に挿通されたロープ５０の途上が屈曲し、その屈曲抵抗によってロープ５０が一時的に緊張状態で仮止めされる。
【００１７】
また、結索体２に設けた第１のロープ挿通孔３の孔明け位置Ａと第２のロープ挿通孔４の孔明け位置Ｂは、結索体２の長手方向の中心軸Ｏ−Ｏに対して左右及び前後にずらせて配置され、しかも、第１のロープ挿通孔３の孔明け位置Ａと、固定具５によるロープ５０の掛止め位置Ｃとが、結索体２の長手方向に沿う中心軸Ｏ−Ｏに対して平行な同一直線Ｐ−Ｐ上に配置してなる形態を有するために、折り返し後のロープ５０同士が互いに位置ずれして干渉することがない。
【００１８】
このように、固定具５のフック部材６をロープ５０の途上に掛止めした後、蝶ナット７にて締結し、これによって、図２に示すように、ロープ５０が緊張状態を維持したままの状態で、そのループ状に折り返された他端５０ｂ側を結索可能にしてなるものである。
【００１９】
なお、本発明は、上記した実施形態に限定されるものではなく、本発明の要旨を免脱しない範囲で種々変更実施可能なことは云うまでもない。
【００２０】
【発明の効果】
以上の説明から明らかなように、本発明は、結索体の長手方向の一端側に第１のロープ挿通孔と第２のロープ挿通孔とを設け、かつその他端側にロープに締結状態で掛止め固定される固定具を設けるとともに、第１のロープ挿通孔に挿通されてループ状に折り返されたロープの折返し端を第２のロープ挿通孔に挿通して結索した後に、結索体の他端側を固定具にてロープの途上に掛止め締結し固定してなることから、ロープの緊張状態における結索を安定して容易に行うことができる。
【００２１】
また、結索体に設けた第１のロープ挿通孔の孔明け位置と第２のロープ挿通孔の孔明け位置が、結索体の長手方向の中心軸に対して左右及び前後にずらせて配置され、しかも、第１のロープ挿通孔の孔明け位置と、固定具によるロープの掛止め位置とが、結索体の長手方向に沿う中心軸に対して平行な同一直線上に配置してなる形態を有するため、折り返し後のロープ同士が互いに位置ずれして干渉することがなく、これによって、ロープの結索作業を円滑に行うことができる。
【図面の簡単な説明】
【図１】本発明に係る結索装置を用いた船体上へのロープによる支柱（マスト）の牽引状態を示す説明図。
【図２】同じくロープの結索部位の要部拡大図。
【図３】同じく結索装置を形成する結索体の拡大平面図。
【図４】図３のＩ−Ｉ線における断面図。
【図５】図４のＩＩ−ＩＩ線における断面図。
【図６】結索装置による結索手順における結索体の第１のロープ挿通孔へのロープの挿通及びループ状の折返し状態を示す説明図。
【図７】同じく結索装置による結索手順における折返し後のロープの折返し端の結索体の第２のロープ挿通孔への挿通及び結索状態を示す説明図。
【図８】同じく結索装置による結索手順における結索体のロープへの掛止め状態を示す説明図。
【符号の説明】
１            結索装置
２            結索体
２ａ          一端
２ｂ          他端
３            第１のロープ挿通孔
４            第２のロープ挿通孔
５            固定具
６            フック部材
７            蝶ナット
５０          ロープ
５０ａ        一端（固定端）
５０ｂ        他端（折返し端）
１００        船体
１０２        支柱（マスト）
１０５        ロープ掛け具
Ａ            第１のロープ挿通孔の孔明け位置
Ｂ            第２のロープ挿通孔の孔明け位置
Ｃ            固定具のロープ掛止め位置
Ｏ−Ｏ        結索体の長手方向に沿う中心軸
Ｐ−Ｐ        結索体の中心軸に対して平行な直線
Ｘ            ロープ緊張方向
【図１】
0003624742.tif 000002
【図２】
0003624742.tif 000003
【図３】
0003624742.tif 000004
【図４】
0003624742.tif 000005
【図５】
0003624742.tif 000006
【図６】
0003624742.tif 000007
【図７】
0003624742.tif 000008
【図８】
0003624742.tif 000009